(57)【特許請求の範囲】
【請求項１】
自動式歯ブラシであって、当該自動式歯ブラシは、
対向する端部、該対向する端部の間に置かれたキャビティ、及び前記対向する端部の一方に置かれた開口部を有する本体と、
第１及び第２の端部を有するとともに、第２の端部が前記キャビティの外側となるように前記開口部を貫通して延びる出力シャフトであって、前記出力シャフトは、第２の端部と前記開口部との間に置かれた少なくとも２対の屈曲部を有する、出力シャフトと、
口腔洗浄ツールであって、該口腔洗浄ツールを前記本体に結合するために、前記少なくとも２対の屈曲部を有する前記出力シャフトのその部分に圧入されるように構成された口腔洗浄ツールと、を有し、
前記屈曲部の各対は、少なくとも１つのサドルがその対をなす屈曲部の間に置かれ且つ前記口腔洗浄ツールの内壁に係合した状態で、反対方向の屈曲部を含む、
自動式歯ブラシ。
【請求項２】
前記出力シャフトは、単一シートの材料から形成された単一の出力シャフトである、請求項１に記載の自動式歯ブラシ。
【請求項３】
前記口腔洗浄ツールは、前記出力シャフトに圧入されるように構成されたソケットを含み、該ソケットは、正方形又は矩形の断面を有する、請求項１に記載の自動式歯ブラシ。
【請求項４】
前記口腔洗浄ツールは、先端部にブラシ毛を有する、請求項１に記載の自動式歯ブラシ。
【請求項５】
自動式歯ブラシであって、当該自動式歯ブラシは、
キャビティ、及び該キャビティに通じる開口部を規定する本体と、
長手方向軸線を規定するとともに対向する第１及び第２の端部を有する出力シャフトであって、該出力シャフトは、第１の端部が前記キャビティ内に位置され、及び第２の端部が前記キャビティの外部に位置されるように前記開口部を貫通して延び、前記出力シャフトは、互いに反対方向の複数の屈曲部を含み、前記出力シャフトは、前記開口部と第２の端部との間に位置する２つの隣接する屈曲部の間に少なくとも１つのサドルを規定するために、折曲げ部で長手方向軸線に対して直交する方向に反らされる、出力シャフトと、
前記キャビティ内に置かれるとともに前記出力シャフトを往復駆動するように構成されたアクチュエータと、
ハンドル及び該ハンドルの一端に配置されたソケットを有する口腔洗浄ツールであって、前記出力シャフトの第２の端部に圧入され且つ前記少なくとも１つのサドルが前記口腔洗浄ツールの内壁に係合するように構成される口腔洗浄ツールと、を有する、
自動式歯ブラシ。
【請求項６】
前記出力シャフトの断面形状は、前記開口部と前記出力シャフトの第２の端部との間で変化する、請求項５に記載の自動式歯ブラシ。
【請求項７】
前記出力シャフトは、前記開口部に置かれるとともに、前記キャビティをシールするためのシャフトシールを受容するように構成された複数の丸いエッジ部を有する戻り止め部分をさらに有する、請求項５に記載の自動式歯ブラシ。
【請求項８】
前記出力シャフトは、単一シートの材料から形成された単一の出力シャフトである、請求項５に記載の自動式歯ブラシ。
【請求項９】
複数の前記屈曲部は、第２の端部と前記開口部との間に置かれた複数のサドルを規定する、
請求項１に記載の自動式歯ブラシ。
【請求項１０】
前記出力シャフトは、対向する第１及び第２の主面を有する単一の材料片から形成された単一の出力シャフトである、請求項９に記載の自動式歯ブラシ。
【発明の詳細な説明】
【技術分野】
【０００１】
本願は、以下の出願の利益又は優先権を主張し、且つ以下の出願との間の関係を説明するものである。その出願は、２０１４年７月２日に出願された米国仮特許出願第６２／０２０，０７２号であり、この文献は、参照により全体が本明細書に組み込まれる。
【０００２】
本システムは、自動式（例えば、電動(electronic)）歯ブラシに関し、より具体的には、単一部品から構成され、オフセット部を含む出力シャフトを有する自動式歯ブラシ、及びその製造方法に関する。
【背景技術】
【０００３】
口腔ヘルスケアは、パーソナルケアにおいて重要な要素である。従来の自動式歯ブラシは、歯を効果的に洗浄するとともにプラークを除去するために、ブラシヘッド等の回転及び／又は振動式口腔洗浄ツールを有することができる。口腔洗浄ツールは、典型的には、複数の組立て要素から形成され、その一部が機械加工される自動式歯ブラシの出力シャフトに取り付けられ、駆動される。例えば、これらの出力シャフトの外側部分は、典型的には、口腔洗浄ツールに取り付けるのに適した半円形の断面形状を形成するように旋削加工される。多要素設計及び製造方法（例えば、機械加工及び旋削加工）は、製造の複雑さ及びコストを増大させる。さらに、多要素設計は、騒音をより多く発生しやすい。従って、本システムの実施形態は、とりわけ、従来技術のシステムの欠点を克服し得る自動式歯ブラシを提供する。
【発明の概要】
【課題を解決するための手段】
【０００４】
本明細書に記載されるシステム（複数可）、装置（複数可）、方法（複数可）、構成（複数可）、ユーザインターフェイス（複数可）、コンピュータプログラム（複数可）、プロセス等（以下、文脈が他に指示しない限り、これらを、システムと呼ぶ）は、従来技術のシステムにおける問題に対処することができる。
【０００５】
本システムの実施形態によれば、対向する端部、対向する端部の間に置かれたキャビティ、及び対向する端部の一方に置かれた開口部を有する本体部と；第１の（基端）端部及び第２の（先端）端部を有する出力シャフトであって、先端部は、開口部を貫通してキャビティの外側に延びており、出力シャフトは、第１の端部と第２の端部との間に置かれた複数の屈曲部を有する、出力シャフトと；本体の開口部を貫通して延びるシャフトの部分に圧入されるように構成された口腔洗浄ツールと；を有する自動式歯ブラシが開示される。出力シャフトは、複数の屈曲部のうちの少なくとも２つの隣接する屈曲部の間に置かれた少なくとも１つのサドルを含むことができる。複数の屈曲部は、二対の屈曲部を含むことができ、屈曲部の各対は、サドルがその二対の屈曲部の間に置かれた状態で、反対方向の屈曲部を含む。
【０００６】
出力シャフトは、単一シートの材料から形成されるか、又は一緒に接合された複数シートの材料から形成される単一の出力シャフトであってもよい。自動式歯ブラシは、出力シャフトに圧入されるように構成されたソケットを含むことができる。ソケットは、正方形又は矩形の断面を有することができる。自動式歯ブラシは、歯ブラシのブラシヘッド等の口腔洗浄ツールを出力シャフトの先端部に受容するように設計される。少なくとも１つのアクチュエータによって、出力シャフトを往復駆動するように構成することができる。出力シャフトは、互いに分離され、且つ複数の屈曲部のうちの少なくとも１つに隣接して置かれた少なくとも２つのサドルをさらに含むことができる。
【０００７】
本システムの実施形態によれば、キャビティ及びこのキャビティに通じる開口部を規定する本体と；長手方向軸線を規定するとともに対向する第１及び第２の端部を有する出力シャフトであって、出力シャフトは、第１の端部がキャビティ内に位置され、及び第２の端部がキャビティの外側に位置されるように開口部を貫通して延びており、出力シャフトは、開口部と第２の端部との間に少なくとも１つのサドルを規定するために、折曲げ部で長手方向軸線に対して直交するように反らされる、出力シャフトと；出力シャフトに結合されるとともに、ハンドル及びこのハンドルの一端に配置されたソケットを有する口腔洗浄デバイスと；キャビティ内に置かれるとともに、出力シャフトを往復駆動するように構成されたアクチュエータと；を含む自動式歯ブラシが開示される。出力シャフトの断面形状は、開口部と出力シャフトの第２の端部との間で変化してもよい。出力シャフトは、開口部に置かれるとともに、キャビティをシールするためのシャフトシールを受容するように構成された複数の丸いエッジ部を有する戻り止め部分をさらに含むことができる。
【０００８】
出力シャフトは、単一シートの材料か、又は互いに接合された複数シートの材料から形成された単一の出力シャフトであってもよい。アクチュエータは、出力シャフトを駆動するための往復運動を出力するモータ又はバイブレータを含むことができる。隣接する折曲げ部は、互いに反対方向であってもよい。サドルは、２つの折曲げ部の間に位置してもよい。
【０００９】
本システムの実施形態によれば、対向する端部、対向する端部の間に置かれたキャビティ、及びキャビティに通じる開口部を有する本体部と；第１及び第２の端部を有する出力シャフトであって、出力シャフトは、第２の端部がキャビティの外側になるように開口部を貫通して延びており、出力シャフトは、第２の端部と開口部との間に置かれた複数のサドルを規定する複数の折曲げ部を有する、出力シャフトと；出力シャフトに圧入されるように構成された口腔洗浄ツールと；を含む自動式歯ブラシが開示される。複数の折曲げ部は、反対方向の少なくとも２つの折曲げ部を含んでもよい。出力シャフトは、対向する第１及び第２の主面を有する単一の材料片から形成された単一の出力シャフトであってもよい。
【００１０】
本発明について、以下の例示的な実施形態において、図面を参照してより詳細に説明する。同一又は同様の要素は、同一又は同様の参照符号によって示され、様々な例示的な実施形態の特徴を組み合わせることができる。
【図面の簡単な説明】
【００１１】
【図１】本システムの実施形態による自動式歯ブラシの一部の側部平面図である。
【図２】本システムの実施形態による自動式歯ブラシの出力シャフトの一部の上部平面図である。
【図３】本システムの実施形態による自動式歯ブラシの出力シャフトの一部の側部平面図である。
【図４】本システムの実施形態による自動式歯ブラシの出力シャフトの一部の等角の正面／側面図である。
【図５】本システムの実施形態による図３の線５−５に沿って切り取られた出力シャフトの一部の断面図である。
【図６】本システムの実施形態による、例えば図３の線６−６に沿って切り取られた出力シャフトの一部の断面図である。
【図７Ａ】本システムの実施形態による自動式歯ブラシの出力シャフト及びツールの一部の背部側平面図である。
【図７Ｂ】本システムの実施形態による、例えば図７Ａの線７Ｂ−７Ｂに沿って切り取られたツール及び出力シャフトの一部の断面図である。
【図８】本システムの実施形態による自動式歯ブラシの出力シャフト及びツールの一部の前部側平面図である。
【図９】本システムの実施形態による自動式歯ブラシの本体、出力シャフト、及びツールの一部の前部側平面図である。
【図１０】本システムの実施形態による、例えば図９の線１０−１０に沿って切り取られた本体の一部の断面図である。
【図１１】本システムの実施形態による出力シャフトのブランクを成形するために使用されるプレス加工ツールの一部の斜視図である。
【発明を実施するための形態】
【００１２】
以下は、以下の図面と併せて参照したときに、前述した特徴及び利点だけでなく、更なる特徴及び利点を実証する例示的な実施形態の説明である。以下の説明では、限定ではなく説明を目的として、アーキテクチャ、インターフェイス、技術、要素属性等の例示的な詳細を説明する。しかしながら、当業者には、これらの詳細から逸脱した他の実施形態が、依然として添付の特許請求の範囲内にあると理解されるのが明らかであろう。さらに、明瞭化を目的として、本システムの説明を不明瞭にしないために、周知の装置、回路、ツール、技術、及び方法の詳細な説明を省略する。図面は、説明目的のために含まれており、本システムの全範囲を表すものではないことを明確に理解されたい。添付の図面において、異なる図面における同様の参照符号は、同様の要素を指示し得る。用語及び／又はその用語の活用形は、列挙された要素のうちの１つ又は複数のみが、特許請求の範囲の記載に従って、及び本システムの１つ又は複数の実施形態に従って、システム内に適切に存在する必要があることを意味すると理解すべきである（例えば、列挙された要素の１つのみが存在している、列挙された要素の２つが存在し得る、そして順に、列挙された要素の全てが存在し得る）。
【００１３】
図１は、本システムの実施形態による自動式歯ブラシ１００の一部の側平面図を示す。自動式歯ブラシ１００は、内部にキャビティ１０５を有する本体１０２を含むことができる。口腔洗浄ツール１０４は、本体１０２の一端部で、開口部１０７から延びる出力シャフト１２０に結合することができる。出力シャフト１２０を取り囲む開口部１０７の領域をシールするために、シール１１２を設けてもよい。シール１１２は、キャビティの外部の液体がキャビティ１０５内に入ることを防止するのに適しており、且つ動作中に出力シャフト１２０の移動も提供することができる。出力シャフト１２０は、第１の（基端）端部１２４及び第２の（先端）端部１２２を含むことができ、第１の端部１２４は、キャビティ１０５内に位置し、第２の端部１２２は、キャビティ１０５の外部に位置する。口腔洗浄ツール１０４は、基端部１１０及び先端部１０８、並びに先端部１０８に置かれた剛毛(bristles)１０６を含むことができる。口腔洗浄ツール１０４は、出力シャフトの第２の（先端）端部１２２に取り外し可能に結合され得るソケットを含む。
【００１４】
出力シャフト１２０を駆動するアクチュエータ１０３が、キャビティ１０５内に置かれ、且つ出力シャフト１２０に結合することができる。アクチュエータ１０３は、出力シャフト１２０を所望する１つ又は複数の方向に駆動する往復起電力を提供し得る任意の適切な電気駆動装置（例えば、リニアモータ及び／又は回転モータ、超音波振動モータ等）を含むことができる。出力シャフト１２０は、所望する１つ又は複数の自由度で動き得るように、本体１０２及び／又はアクチュエータ１０３に結合することができる。ブラシヘッド等の口腔洗浄ツール１０４は、出力シャフト１２０を介して本体１０２に結合され、アクチュエータ１０３から口腔ケアに適した駆動力（例えば、回転力、振動力）を受け取ることができる。いくつかの実施形態では、アクチュエータ１０３は、アクチュエータ１０３の回転速度及び／又は出力の方向を変更するトランスミッションを含んでもよい。ユーザが自動式歯ブラシ１００と相互作用し、アクチュエータ１０３のスイッチをオン又はオフにすることができるように、オン／オフスイッチ１０１等のユーザインターフェイス（UI）を設けることができる。ＵＩは、動作モードを所望するように選択するためにも使用することができる。制御装置（例えば、プロセッサ）によって、自動式歯ブラシ１００の全体の動作を制御することができる。例えば、制御装置は、アクチュエータ１０３の動作モードを制御することができる。さらに、制御装置は、本システムの実施形態に従って、自動式歯ブラシ１００のメモリから動作パラメータを取得することができる。
【００１５】
図２及び図３は、本システムの実施形態による自動式歯ブラシ１００の出力シャフト１２０の一部の上部平面図及び側部平面図を示す。プレス加工された(stamped)金属片又は一緒に接合された金属又は他の材料の複数層であり得る出力シャフト１２０は、複数の面を形成し得る複数の面を有する。例示的に、これらの面は、上面１３２−Ｔ、底面１３２−Ｂ、前面１３２−Ｆ、及び背面１３２−Ｒとして既知であり得る。上面１３２−Ｔ及び底面１３２−Ｂは、互いに対向している。前面１３２−Ｆ及び背面１３２−Ｒは、互いに対向しており、前面１３２−Ｆ及び背面１３２−Ｒが隣接してもよい。出力シャフト１２０は、長手方向軸線（Ｌａ）に沿って延びており、且つ長手方向軸から反れた(deviate)少なくとも１つの領域を含んでもよい。例えば、プラットフォーム領域又はサドル１４８、１３８、１４０、１４２が、異なる距離で位置付けされ、出力シャフト１２０の長手方向軸線から角度が付けられ、及び本明細書に記載されるように口腔洗浄ツール１０４のソケットの隣接部分に接触するように構成しもよい。サドル領域は、１つのサドル領域から隣接するサドル領域まで、長手方向軸線（Ｌａ）に向けて又はこの軸線（Ｌａ）から離れる位置を交互に(alternatively)反らすことができる。例えば、第１のサドル領域は、隣接する第２のサドル領域よりも長手方向軸線から相対的に離れていてもよい。さらに、第２のサドル領域に隣接しているが第１のサドル領域に隣接していない第３のサドル領域は、第２のサドル領域よりも長手方向軸線から相対的に離れていてもよい。
【００１６】
さらに、サドル領域１４８、１３８、１４０、及び／又は１４２は、折曲げ部１４５、１４３、１４１、及び１３９（例えば、前面１３２−Ｆと背面１３２−Ｒとの間に延びる反り部、屈曲部等）によって、隣接するサドル領域から及び／又は出力シャフト１２０の中央部分から離れていてもよい。本システムの実施形態によれば、サドル領域１４８、１３８、１４０、１４２は、圧印(coining)加工等のプレス(stamping)加工中に生成してもよい。圧印は、バリの発生しない(flashless)精密な冷間鍛造操作であり、機械プレスによって、ワークピースがダイ内にあるときにこのワークピースに非常に大きな力を加えて、ワークピース部品の細かいディテールを実現する。シール領域１２８（例えば、戻り止め領域）が、丸いエッジ部１３０を有するコーナー部を含むことができる。シール領域１２８は、圧印加工中に形成してもよい。開口部１３６が、出力シャフト１２０を貫通して（例えば、前面１３２−Ｆから背面１３２−Ｒまで）延びてもよく、この開口部は、シャフトを固定するのに適している。出力シャフト１２０の底部平面図は、この図面と同様であってもよいが、このシステムの実施形態は、明瞭化のため図示されていないが、本図面から変更してもよい。出力シャフト１２０は、口腔洗浄１０４のソケットのラッチと摩擦係合し得るベースプラットフォーム１３４及び戻り止め１５２を含むことができる。
【００１７】
図４は、本システムの実施形態による自動式歯ブラシ１００の出力シャフト１２０の一部の等角の正面／側面図を示す。図示されるように、ベースプラットフォーム１３４は、サドル１３８、１４０、１４２、及び１４８のうちの少なくとも１つに延びることができる。シール領域１２８及びシール領域１２８の丸みのあるエッジ部１３０を、より明確に確認することができる。
【００１８】
図５は、本システムの実施形態による、例えば図３の線５−５に沿って切り取られた出力シャフト１２０の一部の断面図を示す。シール領域１２８の各コーナー部は、本システムの実施形態による圧印加工中に形成され得る丸みのあるエッジ部１３０を含んでもよい。
【００１９】
図６は、本システムの実施形態による、例えば図３の線６−６に沿って切り取られた出力シャフト１２０の一部の断面図を示す。本システムの実施形態によれば、出力シャフトは、略正方形又は矩形の断面を有することができるが、コーナー部は所望に応じて丸くしてもよい。
【００２０】
図７Ａは、本システムの実施形態による、例えば図１の線７Ａ−７Ａに沿って切り取られた自動式歯ブラシ１００の出力シャフト１２０及び口腔洗浄ツール１０４の一部の断面図を示す。口腔洗浄ツール１０４は、ハンドル１６０、ベース１６２、リング１６４、及び調和質量体(harmonic  mass)１６８を含むことができる。ハンドル１６０は、ハンドル１６０の内壁１７６によって規定されるキャビティ１８２を有することができる。ベース１６２は、キャビティ１８２内に少なくとも部分的に挿入してもよく、及び摩擦嵌合等の任意の適切な取付け方法を使用して（例えば、図示されるようにベース１６２に示されるタブ１８０及びハンドル１６０の切欠き１７８を使用して）、口腔洗浄ツールのキャビティ１８２の内壁１７６に固定して結合してもよい。しかしながら、さらに他の実施形態では、接着、溶接等の他の取付け方法が適切に適用され得ることが想定される。リング１６４は、摩擦嵌合等の任意の適切な方法（複数可）を使用してベース１６２に取り外し可能に結合され、本システムの実施形態によれば、例えば識別のために色コードを提供するように機能し得る。調和質量体１６８は、ベース１６２のキャビティ１８３内に置かれてもよく、本システムの実施形態による自動式歯ブラシ１００の駆動システムの共振周波数を調整するのに適した質量体を有してもよい。調和質量体１６８は、リング等の適切な形状を有してもよく、接着、固着、摩擦嵌合等の任意の適切な方法を用いてベース１６２に固定して結合することができる。
【００２１】
口腔洗浄ツール１０４は、摩擦嵌合（例えば、圧入）等の任意の適切な方法を使用して出力シャフト１２０に取り外し可能に結合することができる。例えば、口腔洗浄ツール１０４は、ソケット１７０を含むことができ、そのソケット１７０内に、出力シャフト１２０の少なくとも一部が挿入され、且つ例えば摩擦嵌合を用いて所定の位置に取り外し可能に保持される。ソケット１７０は、前壁１７２−Ｆ及び対向する後壁１７２−Ｒ、並びに上壁１７２−Ｔ及び対向する底壁１７２−Ｂ等の複数の内壁を含むことができる（図７Ｂ参照）。これらの内壁は、一般に壁１７２−ｘと呼ばれる。従って、ソケット１７０の少なくとも２つの壁１７２−ｘは、サドル１３８、１４０、１４２、１４８等の出力シャフト１２０の隣接する面に係合することができる。例えば、いくつかの実施形態によれば、ベース１６２は、サドル１４８、１３８、１４０、及び１４２等で、出力シャフト１２０に係合するソケット１７０の少なくとも一部を形成することができる。サドル１４８、１３８、１４０、及び１４２を出力シャフト１２０の長手方向軸線（Ｌａ）から離れる方向に反らすことによって、壁１７２−ｘ等のソケット１７０の内部部分と係合するために、より大きなサドル断面の設置面積を得ることができる。ベース１６２を口腔洗浄ツールの内壁１７６に対して付勢するために、付勢部材１７４（例えば、鋼製ｃ−クリップばね）を設けてもよい。エンドタブ７９０が、ベースプラットフォーム１３４に隣接して置かれ、このプラットフォームは、口腔洗浄ツール１０４の取り付けのための戻り止めとして機能し得る。本システムの実施形態によれば、より大きなサドル断面の設置面積によって、出力シャフト１２０から口腔洗浄ツール１０４への動力伝達を向上させることができる。さらに、サドル断面の設置面積のサイズを大きくすることによって、出力シャフト１２０をソケット１７０内に挿入するのを補助し得るより大きなソケット１７０を使用することができる。これは、ユーザの利便性を高めることができる。
【００２２】
図７Ｂは、本システムの実施形態による、例えば図７Ａの線７Ｂ−７Ｂに沿って切り取られた出力シャフト１２０を含む自動式歯ブラシ１００の一部の断面図を示す。上壁１７２−Ｔは、ソケット１７０の底壁１７２−Ｂに対向している。（明瞭化するために出力シャフト１２０の中心線に相当すると想定される）長手方向軸線（Ｌａ）に対してサドル（１３８、１４８が図示される）をオフセットすることによって、より大きなサドル断面の設置面積を確立することができる。例えば、サドル断面の設置面積が、対向するサドル（例えば、長手方向軸線（Ｌａ）の両側に置かれた１４８及び１３８）の面の間の距離として規定され、及び距離（ＤＴ）によって表され得ると仮定する。従って、（例えば、オフセットされる）対向するサドル同士の間の距離を増大させると、距離ＤＴが増大し、こうして、サドル断面積が増大する。距離ＤＴを増大させることにより、出力シャフト１２０と口腔洗浄ツール１０４との間の良好な結合を提供するソケット１７０の把持領域のサイズを増大させ、その結果、使用中の音響放射が減少し得る。また、サドルをオフセットすることにより、より薄い出力シャフト１２０を使用することができる。さらに、より薄い出力シャフト１２０を使用することにより、出力シャフト１２０の重量を、超音波アクチュエータとバランスさせることができる。
【００２３】
図８は、本システムの実施形態による自動式歯ブラシ１００の出力シャフト１２０及び口腔洗浄ツール１０４の一部の前部平面図を示す。口腔洗浄ツールベース１６２は、使用中にツール１０４を出力シャフト１２０に取り外し可能に結合するように、出力シャフト１２０の切欠き部分１８４と係合し得るタブ１８０を含むことができる。タブ１８０を切欠き部分１８４に押し付けるために、付勢部材１７４（例えば、鋼製のｃ−クリップばね）を設けてもよい。エンドタブ７９０は、ベースプラットフォーム１３４に隣接して置かれており、このプラットフォームは、口腔洗浄ツール１０４の取り付けのための戻り止めとして機能し得る。
【００２４】
図９は、本システムの実施形態による、例えば図１の線９−９に沿って切り取られた自動式歯ブラシ１００の本体１０２、出力シャフト１２０、及び口腔洗浄ツール１０４の一部分の断面図を示す。剛毛１０６は、口腔洗浄ツール１０４の先端部１０８に置かれる。本体１０２は、開口部１０７を含むことができ、この開口部を介して、出力シャフト１２０の一部が本体１０２のキャビティ１０５から延び得る。シール１１２が、水等の液体による侵入からキャビティ１０５をシールするように、開口部１０７とシール領域１２８（例えば、戻り止め領域）との間に置かれる。シール１１２（例えば、キャビティシール）は、ポリマーシール材料等の任意の適切な材料から形成してもよい。口腔洗浄ツール１０４は、出力シャフト１２０に圧入される。図示されるように、シール１１２は、液体（例えば、水）から本体１０２のキャビティ１０５をシールするように、シール領域１２８で出力シャフト１２０に結合してもよい。
【００２５】
図１０は、本システムの実施形態による、例えば図９の線１０−１０に沿って切り取られた本体１０２の一部の断面図を示す。
【００２６】
図１１は、本システムの実施形態による出力シャフトのブランク１１２０を成形するために使用されるプレス加工ツール１１００の一部の斜視図である。出力シャフトのブランク１１２０は、金属のプレス加工によって形成してもよく、略平坦な形状を有し得る。次に、圧印加工（図示されている）等の少なくとも１回のプレス加工中に、出力シャフトのブランク１１２０の少なくとも１つの領域は、出力シャフトのブランク１１２０が、略平坦な形状から、出力シャフトのブランクの長手方向軸から離れる方向に又はこの長手方向軸に向けて反れるように、（例えば、１つ又は複数の折曲げ部、屈曲部等で）オフセットしてもよい。本システムの実施形態によれば、プラットフォーム領域、シール領域（例えば、図２及び図４のシール領域１２８及び丸いエッジ部１３０を参照）、切欠き部分（例えば、図８の切欠き部分１８４を参照）等に通じる折曲げ部１４５、１４３、１４１、１３９を用いて、その反らすことによって、例えば、サドル１４８、１３８、１４０、１４２を形成することができる。このようにして、例えば、プレス加工ツール１１００等のプレス加工ツールのプレス加工操作によって出力シャフトのブランク１１２０を変形させる圧印加工を用いて、出力シャフトのブランク１１２０から出力シャフト１２０を形成することができる。プレス加工ツールは、１つ又は複数のプレス加工領域を含むことができ、及び／又は形成された出力シャフトの所望の形状を補完する（例えば、鏡像である）１つ又は複数のプレス加工領域を含む２つ以上のプレス加工ツールを利用することができる。２つ以上のプレス加工ツールを一緒に使用して、出力シャフトのブランクの所与の長手方向部分をプレス加工することができる。
【００２７】
本システムの実施形態によれば、単一の出力シャフトは、簡素化したプレス加工を使用して単一の材料片から形成してもよい。さらに、単一の出力シャフトは、従来の駆動方法と比較して、音響放射を低減することができる。
【００２８】
最後に、上述した議論は、本システムの単なる例示であることを意図しており、添付の特許請求の範囲を特定の実施形態又は実施形態のグループに限定するものとして解釈すべきではない。こうして、本システムについて例示的な実施形態を参照して説明してきたが、多くの修正及び代替実施形態が、以下の特許請求の範囲に記載される本システムのより広範な、意図された精神及び範囲から逸脱することなく、当業者によって考案され得ることも理解すべきである。本システムの更なる変形は、当業者には容易に想起され、その想起された変形は、以下の特許請求の範囲に包含される。従って、明細書及び図面は、例示的な態様で考慮すべきであり、添付の特許請求の範囲を限定することを意図するものではない。
【００２９】
添付の特許請求の範囲を解釈する際に、「備える、有する、含む（comprising）」という単語は、所与の請求項に列挙されたもの以外の要素又は行為の存在を除外するものではなく、ある要素に先行する単語「１つの(a,  an)」は、そのような複数の要素の存在を排除するものではない。特許請求の範囲内の如何なる参照符号もその範囲を限定するものではない。いくつかの「手段」は、同一のアイテム、或いはハードウェア又はソフトウェアによって実装された構造又は機能によって表されてもよい。開示された要素のいずれも、ハードウェア部分（例えば、個別の及び集積化した電子回路を含む）、ソフトウェア部分（例えば、コンピュータプログラミング）、及びこれらの任意の組合せから構成してもよい。ハードウェア部分は、アナログ部分及びデジタル部分の一方又は両方から構成することができ、他に明記しない限り、開示された装置又はその一部のいずれかを、一緒に組み合わせる、又は更なる部分に分離することができる。具体的に示されていない限り、特定の一連の動作又はステップは、要求されないものとする。「複数の要素」という用語は、特許請求の範囲に記載された要素の２つ以上の要素を含み、特定の範囲の数の要素を意味するものではなく、つまり、複数の要素は、２つの要素であってもよく、計り知れない数の要素を含んでもよい。その用語及び／又はその活用形は、列挙された要素のうちの１つ又は複数のみが、特許請求の範囲の記載に従って、及び本システムの１つ又は複数の実施形態に従って、システム内に適切に存在する必要があり得ることを意味すると理解すべきである。
【図１】
0006612791.tif 000002
【図２】
0006612791.tif 000003
【図３】
0006612791.tif 000004
【図４】
0006612791.tif 000005
【図５】
0006612791.tif 000006
【図６】
0006612791.tif 000007
【図７Ａ】
0006612791.tif 000008
【図７Ｂ】
0006612791.tif 000009
【図８】
0006612791.tif 000010
【図９】
0006612791.tif 000011
【図１０】
0006612791.tif 000012
【図１１】
0006612791.tif 000013